(57)【要約】【課題】くわい種球ｗの田面への植付を疲労少なく能率的に行えるようにする。【解決手段】柄部１の基端部に操作ハンドル５を、そして先部に種球保持部３を設け、柄部１の内孔内には操作ハンドル５の操作に連動して柄部１の長手方向の前後へ変位される押し部材７を設けたくわい種球ｗ用手持ち田植具。  自立構造体の前部左右となる一対の前植付位置と、自立構造体の後部左右となる一対の中間植付位置と、これら一対の中間植付位置の後方となる一対の後植付位置とからなる６位置に対応した種球植付位置目印を形成し、また左右方向位置決め棒部材と、くわい種球容器と、把手部を形成されてなるくわい種球用可搬型容器付植付位置決め具。【選択図】図１
2007014285.tif 000002
【特許請求の範囲】
【請求項１】
長さ凡そ８０ｃｍ〜１４０ｃｍ程度の柄部を備え、この柄部の基端部に操作ハンドルを、そして先部にくわい種球を特定姿勢の固定状に保持する種球保持部を設け、前記柄部の内孔内には操作ハンドルの操作に連動して柄部長手方向の前後へ変位される押し部材を設け、前記種球保持部にくわい種球を保持させた後に前記操作ハンドルを操作することにより前記押し部材が前記種球保持部に保持されたくわい種球を前記種球保持部の先方へ押し出すように作動する構成を特徴とするくわい種球用手持ち田植具。
【請求項２】
種球保持部は、柄部先端部の上部左右に固定され且つ先鋭端を前方へ向けられ且つ柄部の先端からの張出長さが凡そ数ｍｍ〜十数ｍｍ程度となされている一対の針部材と、柄部先端からの張出長さを前記針部材の前記張出長さよりも小さくなされ且つ、くわい種球の芽との干渉を回避させるためにスリット部を前記一対の針部材の間範囲の上部前端縁から柄部基端側へ向け形成され且つくわい種球の側周囲を包囲するように形成され且つ柄部の先端部に固設されたものとなされた側周囲包囲部材とを備え、くわい種球を種球保持部に保持させる際にはくわい種球の球部が一対の針部材に挟み付けられ又は必要に応じ突き刺され側周囲包囲部材の内方に位置されると共に、くわい種球の芽がスリット部を通じて側周囲包囲部材の外上方へ出されることを特徴とする請求項１記載のくわい種球用手持ち田植具。
【請求項３】
全体が安定的に自立するものとなされ前後方向寸法をくわい種球の列上種球間距離以下となされ左右方向寸法をくわい種球の列間距離より少なくとも数ｃｍ程度小さくなされた自立構造体を備え、この自立構造体がくわい種球を植え付けるべき隣接した２つの列間に位置されたときに自立構造体の前部左右で前記２つの列の真上に位置する一対の前植付位置と、自立構造体の後部左右で前記２つの列の真上に位置し前記前植付位置よりも列上種球間距離だけ後方となる一対の中間植付位置と、これら中間植付位置から列上種球間距離だけ後方で前記２つの列の真上に位置する一対の後植付位置とからなる６位置のそれぞれの適当高さ位置に種球植付位置目印を自立構造体から水平方向へ張り出された支持棒部材で形成し、また前記２つの列の直ぐ外側で種球の既植付側となる列から自立構造体までの左右方向距離を特定するための左右方向位置決め棒部材を自立構造体の左右各側から張出状に形成され、さらには自立構造体の上部に上面の開放されたくわい種球容器を固定すると共に自立構造体を引き上げ移動させるための把手部を形成されてなることを特徴とするくわい種球用可搬型容器付植付位置決め具。
【請求項４】
前記後植付位置に対応した支持棒部材、及び、左右各側の左右方向位置決め棒部材が自立構造体近傍位置で上方への折れ曲がり可能となされ且つ起立姿勢の維持可能となされていることを特徴とする請求項３記載のくわい種球用可搬型容器付植付位置決め具。
【発明の詳細な説明】
【技術分野】
【０００１】
本発明はくわい種球を的確且つ楽な姿勢で植え付けることを可能としたくわい種球用手持ち田植具及びくわい種球用可搬型容器付植付位置決め具に関する。
【背景技術】
【０００２】
図７は従来のくわい種球の植付の様子を示す平面図である。
くわい種球を植え付ける際には、一般に、代掻き行った田面に複数の作業者が入り、２人の作業者が綱の一定間隔位置に植付位置を示す目印の付けられた田植綱を位置決めし、次にこのように位置決めされた田植綱の目印の位置に、複数の作業者が田面に置いたくわい種球容器２３ａ内に用意されているくわい種球ｗを手に取って各列Ｒ１〜Ｒ７に植え付けるという処理を繰り返す。
【０００３】
このとき、各作業者は田面上で左右方向ｆ６へ移動しながら、自分の受持領域内の田植綱の目印の真下位置の土中に植え付けていくのであり、この植付時になるべく足跡を残さないようにして能率的に植え付けるため、作業者は１つの場所で矢印で示すように隣接した３列の位置ｐ０１、ｐ０２、ｐ０３に植え付けるようにしている。
【０００４】
なお、くわい種球の田植作業に関係する公知文献は出願人に知る限りにおいて存在しない。
【０００５】
【特許文献１】特開２００２−１８６３１０号公報
【発明の開示】
【発明が解決しようとする課題】
【０００６】
上記した従来のくわい種球の植付においては、次のような問題点がある。
即ち、作業者は通常、一人で多数列の植付をするため、左右方向ｆ６へ移動することは避けられないのであり、このときの作業者の足跡ｆｔがくわい種球の植付予定位置近傍ｍに不可避的に残ることとなる。この足跡ｆｔはくわい種球を適正に植え付ける上で障害となることから、これを避けるため手で土均しをして足跡ｆｔを無くするようにするが、この土均し処理は水面下の土を掻き混ぜることから土が水状となってくわい種球に対するその支持能力が低下し、植付後のくわい種球の浮き上がりや土中への過度な沈降を生じさせ、適正な植付を困難となすのである。
また田植綱が田面の水中に沈んで種球植付位置に対応した目印が確認し難くなり、くわい種球を正確な位置に植え付けることが困難となる。
【０００７】
また上記した従来の植付作業では、くわい種球を手指で摘んで土中の数ｃｍ深さに植え付けることから、手指がくわい種球の周辺の比較的多くの土を押し除けるようになって植付後のくわい種球の姿勢を不安定となすのであり、これを修正するには、くわい種球の周辺の水面下の土を移動させてくわい種球に密着させる必要があるが、このときの土の移動処理が土を攪拌して水状となしその支持能力を低下させ、既述のように植付後のくわい種球の浮き上がりや沈降を生じさせることがある。また土中に植え付ける際に、くわい種球が腕の植付動作に関連してその芽が手前側から前方へ向かうように自転変位されることがあるのであり、この自転変位はくわい種球の芽が長く伸びているようなときにその芽を曲げ折ってしまうことがある。
【０００８】
またくわい種球を手指で摘んで植え付けるには作業者は腰を大きく曲げることを繰り返す必要があって、身体の疲労が激しいことから、的確な植付を長時間に亘って安定的に継続することが困難となる。
さらには、従来の植付作業では一人の作業者が抜けると、田植綱の張り長さ範囲内の植付が均等に進行せず作業者の植付作業に無駄の生じることがある。
【０００９】
本発明は、上記した問題点を解消するものとしたくわい種球用手持ち田植具及びくわい種球用可搬型容器付植付位置決め具を提供することを目的とする。
【課題を解決するための手段】
【００１０】
上記目的を達成するため、本発明のくわい種球用手持ち田植具は、請求項１に記載したように、長さ凡そ８０ｃｍ〜１４０ｃｍ程度の柄部を備え、この柄部の基端部に操作ハンドルを、そして先部にくわい種球を特定姿勢の固定状に保持する種球保持部を設け、前記柄部の内孔内には操作ハンドルの操作に連動して柄部長手方向の前後へ変位される押し部材を設け、前記種球保持部にくわい種球を保持させた後に前記操作ハンドルを操作することにより前記押し部材が前記種球保持部に保持されたくわい種球を前記種球保持部の先方へ押し出すように作動する構成を特徴とするものである。
【００１１】
この発明は次のように具体化するのがよいのであって、即ち、請求項２に記載したように、種球保持部が、柄部先端部の上部左右に固定され且つ先鋭端を前方へ向けられ且つ柄部の先端からの張出長さが凡そ数ｍｍ〜十数ｍｍ程度となされた一対の針部材と、柄部先端からの張出長さを前記針部材の前記張出長さよりも小さくなされ且つ、くわい種球の芽との干渉を回避させるためにスリット部を前記一対の針部材の間範囲の上部前端縁から柄部基端側へ向け形成され且つくわい種球の側周囲を包囲するように形成され且つ柄部の先端部に固設されたものとなされた側周囲包囲部材とを備え、くわい種球を種球保持部に保持させる際にはくわい種球の球部が一対の針部材に挟み付けられ又は必要に応じ突き刺され側周囲包囲部材の内方に位置されると共に、くわい種球の芽がスリット部を通じて側周囲包囲部材の外上方へ出される構成となす。
【００１２】
次に本発明のくわい種球用可搬型容器付植付位置決め具は、請求項３に記載したように、全体が安定的に自立するものとなされ前後方向寸法をくわい種球の列上種球間距離以下となされ左右方向寸法をくわい種球の列間距離より少なくとも数ｃｍ程度小さくなされた自立構造体を備え、この自立構造体がくわい種球を植え付けるべき隣接した２つの列間に位置されたときに自立構造体の前部左右で前記２つの列の真上に位置する一対の前植付位置と、自立構造体の後部左右で前記２つの列の真上に位置し前記前植付位置よりも列上種球間距離だけ後方となる一対の中間植付位置と、これら中間植付位置から列上種球間距離だけ後方で前記２つの列の真上に位置する一対の後植付位置とからなる６位置のそれぞれの適当高さ位置に種球植付位置目印を自立構造体から水平方向へ張り出された支持棒部材で形成し、また前記２つの列の直ぐ外側で種球の既植付側となる列から自立構造体までの左右方向距離を特定するための左右方向位置決め棒部材を自立構造体の左右各側から張出状に形成され、さらには自立構造体の上部に上面の開放されたくわい種球容器を固定すると共に自立構造体を引き上げ移動させるための把手部を形成されてなることを特徴とするものである。
【００１３】
この発明は次のように具体化するのがよいのであって、即ち、請求項４に記載したように、前記後植付位置に対応した支持棒部材、及び、左右各側の左右方向位置決め棒部材が自立構造体近傍位置で上方への折れ曲がり可能となされ且つ起立姿勢の維持可能となされている構成となす。
【発明の効果】
【００１４】
本発明によれば、次のような効果が得られる。
即ち、請求項１記載のものによれば、種球保持部にくわい種球を固定状に支持させる処理や、このように支持させたくわい種球を代掻きされた田面の土中に植え付ける処理を腰を曲げることなく行えるようになり、したがって作業者の疲労が少なくなり、くわい種球の的確な植付を長時間に亘って安定的に継続することができるようになる。
【００１５】
また種球保持部がくわい種球を固定状に支持した状態で土中においてその植付位置まで平行移動させることができるため、くわい種球は土中での自転変位が生じなくなくなり、したがってたとえくわい種球から芽が長く伸びていても、この芽が土の抵抗で折れるようなことは生じ難くなる。
【００１６】
さらに種球保持部に支持されたくわい種球が土中にて押し部材に押し出されるようになるため、その球部に土が密着し易くなり、くわい種球の浮き上がりや沈降が生じ難くなる。
【００１７】
請求項２記載のものによれば、一対の針部材の間にくわい種球の芽を位置させると共に球部を押し込むことにより種球保持部にくわい種球を固定状に支持させることができるのであり、また針部材の少なくとも一方にくわい種球の球部を突き刺すことにより種球保持部にくわい種球を一層確実に支持させることができ、しかも、種球保持部に固定されたくわい種球を押し部材の押し力で簡単に外方へ押し出すことができるものとなる。
【００１８】
また側周囲包囲部材が種球保持部によるくわい種球をその芽を傷めることなく一層確実に支持する上で寄与すると共に、土中への植付時に土をくわい種球の球部に密着させるように作用し、くわい種球の浮き上がりや沈降をさらに確実に防止することが可能となる。さらには側周囲包囲部材のスリット部が種球保持部に支持されたくわい種球の芽の伸長方向の向きを一定範囲内で任意に変更することを可能となし、これにより柄部を傾斜させて土中に植え付けられるくわい種球の芽を上向きに近付けることができ、その成育を促進することができる。
【００１９】
請求項３記載のものによれば、作業者が腰を曲げることなく、くわい種球容器内のくわい種球を摘んでくわい種球用手持ち田植具の種球保持部に支持させ土中に植え付けることができるようになり、したがって作業者の疲労は少なくなり、くわい種球の植付における田面上での全作業を長時間に亘って的確且つ安定的に継続することができるようになる。
【００２０】
またくわい種球を同時に植え付けられる２つの列の間に作業者が位置して種球植付目印を列方向へ移動させるように使用することができるため、作業者の足跡がこれから植え付ける位置の近傍に残されることは生じないものとなって、足跡がくわい種球を植え付ける上で障害となることがなくなり、足跡に起因したくわい種球の浮き上がりや沈降は生じ難くなる。
【００２１】
従来の植付作業では、横方向と後方への移動であるが、本発明によれば前進歩行のみのため歩行が容易であり、疲れ難い。しかも、長時間素手で水中作業を行うと手がふやけて、爪も柔らかくなり反転する場合もあり、更に爪の間に土が入り込み洗ってもなかなか除り難いが、このようなことも全て解消される。一方、屈むことによる血圧の異常時（推測の範囲）も考えられるが、その心配もないので高血圧症の人なども作業を安全に行うことができる。
【００２２】
他方田面の代掻きが適正に行われている限り、種球植付位置目印が従来の田植綱のように弛んで水没してしまうことは生じず、６つの種球植付位置目印を基準として的確な植付が行える。
さらには各作業者が単独で取り扱うことができるものとなって、他の作業者に影響されることなく６つの種球植付位置目印を基準として的確な植付が行えるものとなる。
【００２３】
請求項４記載のものによれば、後植付位置に対応した支持棒部材、及び又は、左右の左右方向位置決め棒部材を必要に応じて自立構造体からの水平張出量を少なくするように姿勢変更させることができ、持ち運び時の取扱いを容易となすことができる。
【発明を実施するための最良の形態】
【００２４】
以下、図面を参照して、本発明の実施の形態について説明する。
図１は本発明に係るくわい種球用手持ち田植具を示す斜視図、図２は前記くわい種球用手持ち田植具の種球保持部を示す斜視図、図３は前記種球保持部の側面視断面図、図４は本発明に係るくわい種球用可搬型容器付植付位置決め具を示す斜視図、図５はくわい種球用手持ち田植具や前記くわい種球用可搬型容器付植付位置決め具の使用状態を示す説明図、図６は前記くわい種球用可搬型容器付植付位置決め具の使用例を示す説明図である。
【００２５】
先ず、くわい種球用手持ち田植具について説明する。
図１において、１は長さ凡そ８０ｃｍ〜１４０ｃｍ程度（最適には１００ｃｍ〜１２０ｃｍ）及び外径凡そ２０ｍｍ程度となされた塩ビ材からなる筒状の柄部である。この柄部１の基端部に操作部２、そして先部に種球保持部３が形成されている。
【００２６】
操作部２は手掛けハンドル４及び操作ハンドル５からなっている。手掛けハンドル４は柄部１の基端部の外周面の下部に締結線部材６で固定され、下向き張出把手部４ａを具備している。
【００２７】
操作ハンドル５は下向き張出把手部４ａに平行に対峙した状態に配置されており、上端部を柄部１の内孔に密状且つ摺動変位自在に挿通され直径凡そ１３ｍｍ程度となされた棒状の押し部材７の後端に固定されている。柄部１の基端部と操作ハンドル５の間となる押し部材７の後端部にコイルスプリング８が外嵌状且つ圧縮状に装着してあり、また下向き張出把手部４ａと操作ハンドル５との間には、操作ハンドル５がコイルスプリング８の伸長弾力の消失する位置まで後方ｆ１へ離れるのを規制するための規制部材（Ｕ字形金具或いは輪ゴムなどでよい）９が装着されている。
【００２８】
種球保持部３は図２及び図３にも示すように、柄部１の先部と、押し部材７と、くわい種球ｗを挟み付け状に支持し或いはくわい種球ｗを突き刺され支持する一対の針部材１０、１０と、くわい種球ｗの側周囲を包囲する筒状の側周囲包囲部材１１などで形成されている。
【００２９】
柄部１の先端面ａ１は、図３に示すように、下部が上部よりも前方へ張り出すような傾斜面となされており、この際の先端面ａ１の柄部１長手方向の垂直面に対する傾斜角度θは凡そ数十度程度（好ましくは１０〜３０度程度）となされる。押し部材７の先端ａ２は操作ハンドル５の非操作状態の下で柄部１の先端面ａ１から前方ｆ２へ張り出さない範囲で成る可く先端面ａ１に近接されている。
【００３０】
そして、一対の針部材１０、１０は柄部１の先端部上部の左右に直径１ｍｍ〜２ｍｍ程度となされ且つ柄部１先端面ａ１から数ｍｍ〜十数ｍｍ程度前方ｆ２へ張り出された状態に固設されている。
【００３１】
側周囲包囲部材１１は柄部１先端面ａ１からの張出長さを針部材１０の張出長さよりも短い状態となるように柄部１先端部の外周面に固定されると共に、くわい種球ｗの芽ｗ１との干渉を回避させるために一対の針部材１０、１０の間範囲の上部前端縁から後方ｆ１へ向け切り込まれた状態のスリット部ｂ１を形成されている。このスリット部ｂ１は前部の巾を前方ｆ２へ向かうに伴って漸次拡大し、芽ｗ１の入り込みを円滑となしている。
【００３２】
さらに柄部１の基端寄り位置の上部には吊り環１２（図１）が固定されており、この吊り環１２に肩掛け紐１３が繋着されている。
【００３３】
次に上記したくわい種球用手持ち田植具の使用例及び作用について説明する。
くわい種球ｗの植付時に、作業者は肩掛け紐１３を肩に掛け、この肩掛け紐１３によりくわい種球用手持ち田植具を肩で支持した状態で、一方の手で種球保持部３を図２に示すような斜め上向きに向けて保持し、他方の手でくわい種球ｗを掴み、その球部ｗ２の全体又は一部を側周囲包囲部材１１の内方に嵌め込み、その芽ｗ１を上方へ向けてスリット部ｂ１の成る可く奥部を経て外方へ出し芽ｗ１の先側が後方ｆ１へ傾斜した姿勢となす。
【００３４】
これにより、くわい種球ｗは後方ｆ１側を柄部１の先端面ａ１及び押し部材７の先端面ａ２で支持され、球部ｗ２の側周囲を側周囲包囲部材１１の内周面に支持され、球部ｗ２の左右側又は芽ｗ１下部の左右側を左右の針部材１０、１０で挟み付け状に或いは少なくとも一方の針部材１０に突き刺された状態で支持され固定状態となる。なお、球部ｗ２を針部材１０に突き刺すことはくわい種球ｗの活着に障害を及ぼすものではない。
【００３５】
次に作業者は図５に示すように一方の手で柄部１の途中を握り、種球保持部３が下向きとなるような傾斜姿勢となし、他方の手を下向き張出把手部４ａと操作ハンドル５に掛け渡すようにして両手でくわい種球用手持ち田植具Ｔ１を支持する。
【００３６】
そして、種球保持部３及び柄部１をくわい種球ｗの植付予定位置の土中深さ５ｃｍ〜６ｃｍ程度の位置へ向け、柄部１の長手方向へ突き出すように操作する。この突き出し操作の過程で、種球保持部３に固定状に保持されたくわい種球ｗは斜め下方へ平行移動され、手植えのときのように自転変位されることがないため、芽ｗ１が土抵抗を受けて折れるなどの事態は発生し難いのであり、また側周囲包囲部材１１がくわい種球ｗの前方ｆ２の土を球部ｗ２周りへ集めて密着させる作用をし、土押さえ作用が安定的に得られるのである。
【００３７】
田面の水面に対する柄部１の位置とか柄部１の下方への撓み具合から判断して、くわい種球ｗが植付予定深さ位置に到達したと判断されるとき、前記他方の手で操作ハンドル５を下向き張出把手部４ａに近付けるように把握操作する。これにより柄部１の位置が維持されたまま、くわい種球ｗは種球保持部３から球部ｗ１に密着した土と一緒に前方ｆ２へ平行移動されつつ押し出される。
【００３８】
この後、柄部１をこれの後方ｆ１へ引き移動させて種球保持部３を土中から引き抜くのである。こうして植え付けられたくわい種球ｗは芽ｗ１の伸長方向が図３に示す傾斜角度θに関連して柄部１の先端面ａ１に沿わせられているため、柄部１を傾斜状に土中に突き刺しても直立に近寄る状態となる。
【００３９】
このようなくわい種球用手持ち田植具Ｔ１（図５）によるくわい種球植付作業においては腰を曲げる必要がなくなって身体の苦痛が無くなるのであり、また腰の曲げ伸ばし動作が激減して長時間作業の場合にも疲れが少なくなって、植付を継続して的確且つ安定的に行えるのである。
【００４０】
次にくわい種球用可搬型容器付植付位置決め具について説明する。
図４において、２０は細径棒部材により形成され概ね方形枠構造となされた軽量の自立構造体である。この自立構造体２０は脚部２１と、この脚部２１の上端から起立させた起立部２２とからなっていて、安定的に自立するものとなされ前後方向寸法Ｌ１をくわい種球ｗの列上種球間距離ｓ１（図６参照）と概ね合致されるかそれよりも小さくなされ、左右方向寸法Ｂ１をくわい種球ｗの列間距離ｓ２（図６参照）より少なくとも数ｃｍ程度小さくなされている。
【００４１】
脚部２１は前部と後部に最下水平支持棒部２１ａ、２１ｂを有すると共に、この最下水平支持棒部２１ａ、２１ｂから棒部材を延長させて最下水平支持棒部２１ａ、２１ｂから凡そ１５〜２５ｃｍ程度の高さ位置の左右に前後向きの中間水平支持棒部２１ｃ、２１ｄを形成したものとなされている。そして、左右の前後向きの中間水平支持棒部２１ｃ、２１ｄの前端間及び後端間のそれぞれを左右向きの中間水平支持棒部２１ｅ、２１ｆで結合されている。
【００４２】
起立部２２は前後向きの中間水平支持棒部２１ｃ、２１ｄの前後端で且つ左右向きの中間水平支持棒部２１ｃ、２１ｄの左右端である四隅個所から直状棒部材２２ａ、２２ｂ、２２ｃ、２２ｄを起立されており、前側の左右の直状棒部材２２ａ、２２ｂの上端同士、及び、後側の左右の直状棒部材２２ｃ、２２ｄの上端同士は左右向き水平結合棒部２２ｅで結合されており、また左側の前後の直状棒部材２２ａ、２２ｃの上寄り位置同士、及び、右側の前後の直状棒部材２２ｂ、２２ｄの上寄り位置同士のそれぞれは前後向き水平結合棒部２２ｆで結合されている。
【００４３】
自立構造体２０の基本的な骨組みは上記のとおりであるが、さらに補強用の棒部材を任意に設けることは差し支えない。
【００４４】
起立部２２の上部にはくわい種球ｗの多数を収容し発泡スチロール材などの軽量材で形成され上面を開放され方形となされたくわい種球容器２３が水平状に固定されている。このくわい種球容器２３の底面は最下左右向き水平棒部２１ａ、２１ｂから高さは凡そ６５ｃｍ〜７５ｃｍ程度となされ、くわい種球容器２３の上端は最下左右向き水平棒部２１ａ、２１ｂから凡そ７５ｃｍ〜９０ｃｍ程度となされている。
【００４５】
自立構造体２２がくわい種球ｗを植え付けるべき隣接した２つの列、例えば図６中の列Ｒ１及び列Ｒ２間に位置されたときに、これら２つの列Ｒ１、Ｒ２上において自立構造体２０の前端左右となる一対の前植付位置ｐ１、ｐ２と、自立構造体２０の後端左右で一対の前植付位置ｐ１、ｐ２から列上種球間距離（凡そ２７ｃｍ〜３０ｃｍ程度）ｓ１だけ後方ｆ３となる一対の中間植付位置ｐ３、ｐ４と、これら一対の中間植付位置ｐ３、ｐ４から列上種球間距離ｓ１だけ後方ｆ３となる一対の後植付位置ｐ５、ｐ６とからなる６位置のそれぞれの真上位置を示す種球植付位置目印ｃ１〜ｃ６（図４）が中間水平支持棒部２１ｃ〜２１ｄと約同一の高さ位置に形成されており、この目印ｃ１〜ｃ６のそれぞれは自立構造体２２から水平方向へ張り出された支持棒部材２４ａ〜２４ｄを介して形成されている。
【００４６】
この際、左側の種球植付位置目印ｃ１、ｃ３、ｃ５（図６）と右側の種球植付位置目印ｃ２、ｃ４、ｃ６との相互間距離は上記２つの列Ｒ１、Ｒ２の間隔ｓ２に合致され、凡そ７５ｃｍ〜８４ｃｍ程度となされる。
【００４７】
さらに詳細には次のようになされるのであって、即ち、種球植付位置目印ｃ１、ｃ２は自立構造体２０の前端の左右向きの中間水平棒部２１ｅを左右外方へ延長した支持棒部材２４ａ、２４ｂを介して中間水平棒部２１ｅと一体状に形成されており、これら支持棒部材２４ａ、２４ｂのそれぞれの先端に種球植付位置目印ｃ１、ｃ２としての縦向き棒片が固着されている。また種球植付位置目印ｃ３、ｃ４は自立構造体２０の後端の左右向きの中間水平棒部２１ｆを左右外方へ延長しさらに９０度後側へ屈曲した左右の鈎状支持棒部材２４ｃ、２４ｄを介して形成されており、この際、屈曲した個所が種球植付位置目印ｃ３、ｃ４をなしている。また種球植付位置目印ｃ５、ｃ６は前記左右の鈎状支持棒部材２４ｃ、２４ｄを介して種球植付位置目印ｃ３、ｃ４と兼用して形成されており、左右の鈎状支持棒部材２４ｃ、２４ｄの先端に種球植付位置目印ｃ５、ｃ６としての縦向き棒片が固着されている。この際、左右の支持棒部材２４ｃ、２４ｄは左右向きの中間水平棒部２１ｆに支持されて左右向き中心線回りの上方へ９０度回動されて仮想線位置ｄ１に移動可能且つ位置保持可能となされている。
【００４８】
またくわい種球ｗの植付を終了した２つの列、例えば列Ｒ１及び列Ｒ２（図６参照）の次に植え付けるべき２つの列Ｒ３、Ｒ４に植え付ける際の、前記２つの列Ｒ１、Ｒ２の中間点ｅ１から自立構造体２０までの距離を特定するための左右方向位置決め目印ｇ１、ｇ２は自立構造体２０の左右各側から左右方向の張出状に設けられた左右方向位置決め棒部材２５ａ、２５ｂを介して形成されている。
【００４９】
左右の左右方向位置決め棒部材２５ａ、２５ｂは対称状に形成されており、各左右方向位置決め棒部材２５ａ、２５ｂは左右向きとなされ前後方向位置を左右向きの中間水平棒部２１ｆに合致され長さを列間距離ｓ２の１．５倍となされている。これら左右各側の左右方向位置決め棒部材２５ａ、２５ｂはその対応する側の中間前後向き水平棒部２１ｃ、２１ｄに前後向き部ｊ１、ｊ２回りの上方へ９０度回動され仮想線位置ｈ１に係止可能に装着されている。
【００５０】
さらにくわい種球容器２３の上方に把手部２６ａを有する提げ手２６が設けられており、図示例では左右の前後向き結合棒部２２ｆの中間点間に正面視門形の棒部材を固定状に架設したものとなされている。この提げ手２６は種々に変形して差し支えない。
【００５１】
次に上記したくわい種球用可搬型容器付植付位置決め具の使用例及び作用について説明する。
代掻きした田面に図６に示すようにくわい種球用可搬型容器付植付位置決め具Ｔ２を搬入する。この際、くわい種球容器２３内には多数のくわい種球ｗを入れておく。またくわい種球ｗを植え付けるべき最初の列Ｒ１の近傍には列上種球間距離ｓ１ごとに目印の付された田植綱を列Ｒ１に沿わせて位置決めする。
【００５２】
そしてくわい種球用可搬型容器付植付位置決め具Ｔ２（図５）をくわい種球ｗを植え付けるべき予定の隣接した最初の２つの列Ｒ１、Ｒ２間に位置させ、第１列Ｒ１上の種球植付位置を初期位置決め田植綱の目印を基準として特定し、その真上に種球植付位置目印ｃ１、ｃ３、ｃ５を合致させ、自立構造体２０を介して田面上に自立させる。
【００５３】
次に左右の前植付位置ｐ１、ｐ２と、左右の中間植付位置ｐ３、ｐ４と左右の後植付位置ｐ５、ｐ６の６位置のそれぞれに、その対応する種球植付位置目印ｃ１〜ｃ６を基準として、既述のくわい種球用手持ち田植具Ｔ１を使用して１つのくわい種球ｗを植え付けるのであり、これにより第１列Ｒ１と第２列Ｒ２の６位置の種球植付位置ｐ１〜ｐ６への第一回目の植付が終了する。この際、種球植付位置目印ｃ１〜ｃ６は田面の水面の高さが適正であればこの水面より上方に位置し、作業者はその対応する種球植付位置ｐ１〜ｐ６を直ちに特定することができる。
【００５４】
この第一回目の植付が終わったとき、作業者は一方の手にくわい種球用手持ち田植具Ｔ１を持ったまま、他方の手で提げ手２６を持ち上げてくわい種球用可搬型容器付植付位置決め具Ｔ２を列方向の前方ｆ４へ移動させ、田植綱の目印を基準として第２回目の植付のための位置決めをし、先と同様に、自立構造体２０を介して田面上に自立させ、同じ２つの列Ｒ１、Ｒ２上の次の６位置の種球植付位置ｐ１〜ｐ６を特定し植付を行う。
【００５５】
以後は、上記第２回目の植付と同様な処理を繰り返すことで第１列Ｒ１と第２列Ｒ２への植付が終了する。この植付では、左右一対からなる左右方向位置決め棒部材２５ａ、２５ｂは前後向き部ｊ１、ｊ２回りの上方へ９０度回し仮想線ｈ１で示す位置に係止させておくのがよい。
【００５６】
次に２つの列Ｒ１、Ｒ２の終端で矢印ｆ５で示すように１８０度回行して、第３列Ｒ３と第４列Ｒ４の間に移動すると共に、ここでは左右一対からなる左右方向位置決め棒部材２５ａ、２５ｂを図示のように左右向きの水平姿勢となして、作業者の前進方向の右側の左右方向位置決め棒部材２５ｂの目印ｇ２を第１列Ｒ１と第２列Ｒ２との中間点に合致させ、且つ、その長さ途中を既に植え付けられた第２列Ｒ２上の対応するくわい種球ｗの真上に合致させるようにして、くわい種球用可搬型容器付植付位置決め具Ｔ２を位置決めし、先と同様に、自立構造体２０を介して田面上に自立させ、種球植付位置目印ｃ１〜ｃ６を基準として、これらの列Ｒ３、Ｒ４上の第一回目の種球植付位置ｐ１〜ｐ６への植付を行う。
【００５７】
この植付が終わると、作業者は先と同様にくわい種球用可搬型容器付植付位置決め具Ｔ２を列方向の前方ｆ４へ移動させ、これらの列Ｒ３、Ｒ４上の次の６つの種球植付位置ｐ１〜ｐ６を種球植付目印ｃ１〜ｃ６を基準として特定し、これらの列Ｒ３、Ｒ４上の第２回目の種球植付位置ｐ１〜ｐ６への植付を行う。
【００５８】
以後は、これらの列Ｒ３、Ｒ４上で上記第２回目の植付と同様な処理を繰り返すことによりこれら列Ｒ３、Ｒ４への植付が終了する。
【００５９】
この後は、先の矢印ｆ５に準じて１８０度回行して、第５列と第６列の間に移動するのであり、この際、作業者の進行方向の左側の左右方向位置決め棒部材２５ａを右側のそれ２５ｂに準じて使用し、くわい種球用可搬型容器付植付位置決め具Ｔ２の左右方向上の位置を決める。以後は、既述したところに準じてこれら第５列及び第６列への植付を行う。
このような植付作業を繰り返すことにより田面全体への植付が実行されるのである。
【００６０】
上記した植付においては、提げ手２６の把手部２６ａやくわい種球容器２３が作業者の直立姿勢のまま手の届く位置となるため、作業者は植付作業中、殆ど腰を曲げる必要はなくなり、長時間の植付作業であっても、疲労少なく継続して的確且つ安定的に行えるようになる。
【００６１】
なお、上記した左右方向位置決め棒部材２５ａ、２５ｂのそれぞれの長さを列間距離ｓ２に合致させてもよいのであり、この場合はその先端の目印ｇ１又はｇ２は既に植付の終わった最も近い列上に植えられたくわい種球ｗの真上に合致させるようにして、くわい種球用可搬型容器付植付位置決め具Ｔ２の左右方向上の位置を特定するのである。
【図面の簡単な説明】
【００６２】
【図１】本発明に係るくわい種球用手持ち田植具を示す斜視図である。
【図２】前記くわい種球用手持ち田植具の種球保持部を示す斜視図である。
【図３】前記種球保持部の側面視断面図である。
【図４】本発明に係るくわい種球用可搬型容器付植付位置決め具を示す斜視図である。
【図５】前記くわい種球用手持ち田植具及び前記くわい種球用可搬型容器付植付位置決め具の使用例を示す説明図である。
【図６】前記くわい種球用可搬型容器付植付位置決め具の使用例を示す説明図である。
【図７】くわい種球を植え付ける従来の様子を示す図である。
【符号の説明】
【００６３】
１  柄部
３  種球保持部
５  操作ハンドル
７  押し部材
１０  針部材
１１  側周囲包囲部材
２０  自立構造体
２３  くわい種球容器
２４ａ  支持棒部材
２４ｂ  支持棒部材
２４ｃ  支持棒部材
２４ｄ  支持棒部材
２５ａ  左右方向位置決め棒部材
２５ｂ  左右方向位置決め棒部材
２６ｂ  把手部
ｂ１  スリット部
ｐ１  前植付位置
ｐ２  前植付位置
ｐ３  中間植付位置
ｐ４  中間植付位置
ｐ５  後植付位置
ｐ６  後植付位置
ｃ１  種球植付位置
ｃ２  種球植付位置
ｃ３  種球植付位置
ｃ４  種球植付位置
ｃ５  種球植付位置
ｃ６  種球植付位置
ｓ１  列上種球間距離
ｗ  くわい種球
ｗ１  芽
ｗ２  球部
【図１】
2007014285.tif 000003
【図２】
2007014285.tif 000004
【図３】
2007014285.tif 000005
【図４】
2007014285.tif 000006
【図５】
2007014285.tif 000007
【図６】
2007014285.tif 000008
【図７】
2007014285.tif 000009